(57)【特許請求の範囲】
【請求項１】
表紙と、表紙に固定される綴じ具とを含むファイルであって、
前記表紙は、
背表紙と、前記背表紙の幅方向における第１の背表紙の端部側に形成される表表紙と、前記背表紙の幅方向における第２の背表紙の端部側に形成される裏表紙とを有し、
前記背表紙の幅方向における中間部分と、前記表表紙において前記背表紙の近傍部分と、前記裏表紙において前記背表紙の近傍部分とが、それぞれ折り曲げ可能に形成され、
前記綴じ具は、
背表紙の内側であって表表紙側に配置される一方の本体および背表紙の内側であって裏表紙側に配置される他方の本体を備え、
前記綴じ具の一方の本体は、合成樹脂で一体成形され、縦長の方形板状の基部と、前記基部に一体的に形成された側部とを含み、
前記基部は、第１の背表紙部分に対向させるために、幅が第１の背表紙部分の幅と略同じ幅に形成され、長さが第１の背表紙部分の長手方向における長さより短い長さに形成され、
前記側部は、表表紙の背表紙の近傍部分に対向させ且つ背表紙と表表紙とがなす角度に対応した、板状に形成され、
一方の本体の側部は、その長手方向に間隔を隔ててかつその高さ方向における中間に、一方のプロング部材の２つのプロングを挿入するための２つのプロング用孔が、側部の両主面を貫通するように形成され、この側部において表紙に対向する部分は、その長手方向に沿ってかつその高さ方向における中間に、一方のプロング部材の接続部を嵌め込むための接続部用凹部が形成され、表紙の平面状の内面に面接触されて密着するように形成され、
前記綴じ具の他方の本体は、合成樹脂で一体成形され、縦長の方形板状の基部と、前記基部に一体的に形成された側部とを含み、
前記基部は、第２の背表紙部分に対向させるために、幅が第２の背表紙部分の幅と略同じ幅に形成され、長さが第２の背表紙部分の長手方向における長さより短い長さに形成され、
前記側部は、裏表紙の背表紙の近傍部分に対向させ且つ背表紙と裏表紙とがなす角度に対応した、板状に形成され、
他方の本体の側部は、その長手方向に間隔を隔ててかつその高さ方向における中間に、他方のプロング部材の２つのプロングを挿入するための２つのプロング用孔が、側部の両主面を貫通するように形成され、この側部において表紙に対向する部分は、その長手方向に沿ってかつその高さ方向における中間に、他方のプロング部材の接続部を嵌め込むための接続部用凹部が形成され、表紙の平面状の内面に面接触されて密着するように形成され、
一方の本体には、略コ字状の一方のプロング部材が取り付けられ、前記プロング部材は、円弧状の２つのプロングを含み、
他方の本体には、略コ字状の他方のプロング部材が取り付けられ、前記プロング部材は、円弧状の２つのプロングを含み、
前記２つのプロングは、直線状の１つの接続部の両端からのびて、接続部と一体的に形成され、前記接続部は、接続部用凹部の形状に対応した形状に形成され、
前記綴じ具の一方の本体および他方の本体は、表紙の背表紙における折り曲げ部位の両側の第１の背表紙部分および第２の背表紙部分に固定された、ファイル。
【請求項２】
背表紙は、幅方向における中央部分において、表紙の上端から下端にわたって直線状に、折り曲げ可能な薄肉状の折曲部が形成され、
表表紙は、背表紙の近傍部分において、表紙の上端から下端にわたって直線状に、折り曲げ可能な薄肉状の折曲部が形成され、背表紙との境界と折曲部との間の部分が、第１の固定部分として形成され、
裏表紙は、背表紙の近傍部分において、表紙の上端から下端にわたって直線状に、折り曲げ可能な薄肉状の折曲部が形成され、背表紙との境界と折曲部との間の部分が、第２の固定部分として形成された、請求項１に記載のファイル。
【請求項３】
一方の本体の基部は、第１の背表紙部分の内側面に、固着具により固定され、
他方の本体の基部は、第２の背表紙部分の内側面に、固着具により固定された、請求項１または２に記載のファイル。
【請求項４】
一方の本体の側部は、表表紙の第１の固定部分に密着するように形成され、
他方の本体の側部は、裏表紙の第２の固定部分に密着するように形成された、請求項２に記載のファイル。
【請求項５】
綴じ具は、
背表紙の内側部分であって幅方向における中央部分より一方側部分に固着され、フック部分を有するロック部材が一体的に形成された一方の本体、
背表紙の内側部分であって幅方向における中央部分より他方側部分に固着され、前記一方の本体とともに開閉可能に設けられる他方の本体、
前記一方の本体に取り付けられ、複数のプロングが形成された一方のプロング部材、および
前記他方の本体に取り付けられ、複数のプロングが形成された他方のプロング部材、を備えた、請求項１ないし請求項４のいずれかに記載のファイル。
【発明の詳細な説明】
【技術分野】
【０００１】
この発明は、ファイルに関し、特に、背表紙の幅方向における中央部分が折り曲げ可能に形成された表紙に取り付けられる綴じ具であって、複数の円弧状のプロングを有し、たとえば紙などの被綴じ物に形成された綴じ穴にプロングを通して紙などの被綴じ物を綴じる綴じ具を備えたファイル・バインダ類に関する。
【背景技術】
【０００２】
この発明の背景となる従来のバインダの綴じ具には、ヒンジを介して互いに開閉可能に接続され、それぞれにバインダの表紙が取り付けられる合成樹脂からなる一対の背部と、一対の背部にリベットで取り付けられた一対の金属板と、一対の金属板にそれぞれ取り付けられた金属からなる円弧状の複数のプロングと、一方の背部にリベットで取り付けられ、２段のフック部分を有する金属からなるロック部材と、他方の背部に摺動可能に設けられ、ロック部材を挿通するための切欠を有し、ロック部材の２段のフック部分のいずれかを引っ掛けることができる金属からなるラッチ部材と、ロック部材の２段のフック部分のいずれかがラッチ部材に引っ掛かるようにラッチ部材を一方向に付勢するための金属からなるヘアピンばねと、押すことによってロック部材のフック部分がラッチ部材から外れるようにラッチ部材をヘアピンばねの付勢力に抗して一方向とは反対側の方向に摺動させるための合成樹脂からなるキーとを備え、ラッチ部材にロック部材の２段のフック部分のいずれかが引っ掛かっている状態または２段のフック部分のいずれもが引っ掛かっていない状態によって、一対の背部ないしは複数のプロングを完全に閉じた状態、完全に閉じた状態と完全に開いた状態との中間の状態、または、完全に開いた状態で保持することができるものがあった（例えば特許文献１参照）。
この従来の綴じ具を用いたバインダでは、綴じ具の一対の背部ないしは複数のプロングを完全に閉じた状態と完全に開いた状態との中間の状態で保持すれば、綴じられている紙などが緩められるので、綴じられている紙などがめくりやすく、そのため、綴じられている紙などの表裏面に表示されている情報などが閲覧しやすい。【０００３】
【特許文献１】米国特許第４，３５２，５８２号公報
【発明の開示】
【発明が解決しようとする課題】
【０００４】
上述の従来のバインダの綴じ具では、合成樹脂からなる一対の背部、リベットで取り付けられる一対の金属板、金属からなる複数のプロング、リベットで取り付けられる金属からなるロック部材、金属からなるラッチ部材、金属からなるヘアピンばね、および合成樹脂からなるキーを備えているように、部品点数が多い構造なので、組み立てることが煩雑であり、製造に高価なコストがかかってしまう。そして、部品点数が多いために、ファイル・バインダ類全体として、重くなり、綴じられる被綴じ物が多くなればなるほどより一層重くなる。
取り扱いの便利なファイル・バインダ類とするには、全体として軽量化を図り且つ堅牢なファイル・バインダ類が望まれている。【０００５】
それゆえに、この発明の主たる目的は、組み立てやすく、軽量化を図ることができ且つ堅牢なファイル・バインダ類を提供することである。
【課題を解決するための手段】
【０００６】
この発明の請求項１にかかるファイルは、表紙と、表紙に固定される綴じ具とを含むファイルであって、前記表紙は、背表紙と、前記背表紙の幅方向における第１の背表紙の端部側に形成される表表紙と、前記背表紙の幅方向における第２の背表紙の端部側に形成される裏表紙とを有し、前記背表紙の幅方向における中間部分と、前記表表紙において前記背表紙の近傍部分と、前記裏表紙において前記背表紙の近傍部分とが、それぞれ折り曲げ可能に形成され、前記綴じ具は、背表紙の内側であって表表紙側に配置される一方の本体および背表紙の内側であって裏表紙側に配置される他方の本体を備え、前記綴じ具の一方の本体は、合成樹脂で一体成形され、縦長の方形板状の基部と、前記基部に一体的に形成された側部とを含み、前記基部は、第１の背表紙部分に対向させるために、幅が第１の背表紙部分の幅と略同じ幅に形成され、長さが第１の背表紙部分の長手方向における長さより短い長さに形成され、前記側部は、表表紙の背表紙の近傍部分に対向させ且つ背表紙と表表紙とがなす角度に対応した、板状に形成され、一方の本体の側部は、その長手方向に間隔を隔ててかつその高さ方向における中間に、一方のプロング部材の２つのプロングを挿入するための２つのプロング用孔が、側部の両主面を貫通するように形成され、この側部において表紙に対向する部分は、その長手方向に沿ってかつその高さ方向における中間に、一方のプロング部材の接続部を嵌め込むための接続部用凹部が形成され、表紙の平面状の内面に面接触されて密着するように形成され、前記綴じ具の他方の本体は、合成樹脂で一体成形され、縦長の方形板状の基部と、前記基部に一体的に形成された側部とを含み、前記基部は、第２の背表紙部分に対向させるために、幅が第２の背表紙部分の幅と略同じ幅に形成され、長さが第２の背表紙部分の長手方向における長さより短い長さに形成され、前記側部は、裏表紙の背表紙の近傍部分に対向させ且つ背表紙と裏表紙とがなす角度に対応した、板状に形成され、他方の本体の側部は、その長手方向に間隔を隔ててかつその高さ方向における中間に、他方のプロング部材の２つのプロングを挿入するための２つのプロング用孔が、側部の両主面を貫通するように形成され、この側部において表紙に対向する部分は、その長手方向に沿ってかつその高さ方向における中間に、他方のプロング部材の接続部を嵌め込むための接続部用凹部が形成され、表紙の平面状の内面に面接触されて密着するように形成され、一方の本体には、略コ字状の一方のプロング部材が取り付けられ、前記プロング部材は、円弧状の２つのプロングを含み、他方の本体には、略コ字状の他方のプロング部材が取り付けられ、前記プロング部材は、円弧状の２つのプロングを含み、前記２つのプロングは、直線状の１つの接続部の両端からのびて、接続部と一体的に形成され、前記接続部は、接続部用凹部の形状に対応した形状に形成され、前記綴じ具の一方の本体および他方の本体は、表紙の背表紙における折り曲げ部位の両側の第１の背表紙部分および第２の背表紙部分に固定された、ファイルである。
この発明の請求項２にかかるファイルは、背表紙は、幅方向における中央部分において、表紙の上端から下端にわたって直線状に、折り曲げ可能な薄肉状の折曲部が形成され、表表紙は、背表紙の近傍部分において、表紙の上端から下端にわたって直線状に、折り曲げ可能な薄肉状の折曲部が形成され、背表紙との境界と折曲部との間の部分が、第１の固定部分として形成され、裏表紙は、背表紙の近傍部分において、表紙の上端から下端にわたって直線状に、折り曲げ可能な薄肉状の折曲部が形成され、背表紙との境界と折曲部との間の部分が、第２の固定部分として形成された、請求項１に記載のファイルである。
この発明の請求項３にかかるファイルは、一方の本体の基部は、第１の背表紙部分の内側面に、固着具により固定され、他方の本体の基部は、第２の背表紙部分の内側面に、固着具により固定された、請求項１または２に記載のファイルである。
この発明の請求項４にかかるファイルは、一方の本体の側部は、表表紙の第１の固定部分に密着するように形成され、他方の本体の側部は、裏表紙の第２の固定部分に密着するように形成された、請求項２に記載のファイルである。
この発明の請求項５にかかるファイルは、綴じ具は、背表紙の内側部分であって幅方向における中央部分より一方側部分に固着され、フック部分を有するロック部材が一体的に形成された一方の本体、背表紙の内側部分であって幅方向における中央部分より他方側部分に固着され、前記一方の本体とともに開閉可能に設けられる他方の本体、前記一方の本体に取り付けられ、複数のプロングが形成された一方のプロング部材、および前記他方の本体に取り付けられ、複数のプロングが形成された他方のプロング部材、を備えた、請求項１ないし請求項４のいずれかに記載のファイルである。
【発明の効果】
【０００７】
この発明によれば、表紙と、表紙に固定される綴じ具とを含むファイルであって、前記表紙は、背表紙と、前記背表紙の幅方向における第１の背表紙の端部側に形成される表表紙と、前記背表紙の幅方向における第２の背表紙の端部側に形成される裏表紙とを有し、前記背表紙の幅方向における中間部分と、前記表表紙において前記背表紙の近傍部分と、前記裏表紙において前記背表紙の近傍部分とが、それぞれ折り曲げ可能に形成され、前記綴じ具は、背表紙の内側であって表表紙側に配置される一方の本体および背表紙の内側であって裏表紙側に配置される他方の本体を備え、前記綴じ具の一方の本体は、合成樹脂で一体成形され、縦長の方形板状の基部と、前記基部に一体的に形成された側部とを含み、前記基部は、第１の背表紙部分に対向させるために、幅が第１の背表紙部分の幅と略同じ幅に形成され、長さが第１の背表紙部分の長手方向における長さより短い長さに形成され、前記側部は、表表紙の背表紙の近傍部分に対向させ且つ背表紙と表表紙とがなす角度に対応した、板状に形成され、一方の本体の側部は、その長手方向に間隔を隔ててかつその高さ方向における中間に、一方のプロング部材の２つのプロングを挿入するための２つのプロング用孔が、側部の両主面を貫通するように形成され、この側部において表紙に対向する部分は、その長手方向に沿ってかつその高さ方向における中間に、一方のプロング部材の接続部を嵌め込むための接続部用凹部が形成され、表紙の平面状の内面に面接触されて密着するように形成され、前記綴じ具の他方の本体は、合成樹脂で一体成形され、縦長の方形板状の基部と、前記基部に一体的に形成された側部とを含み、前記基部は、第２の背表紙部分に対向させるために、幅が第２の背表紙部分の幅と略同じ幅に形成され、長さが第２の背表紙部分の長手方向における長さより短い長さに形成され、前記側部は、裏表紙の背表紙の近傍部分に対向させ且つ背表紙と裏表紙とがなす角度に対応した、板状に形成され、他方の本体の側部は、その長手方向に間隔を隔ててかつその高さ方向における中間に、他方のプロング部材の２つのプロングを挿入するための２つのプロング用孔が、側部の両主面を貫通するように形成され、この側部において表紙に対向する部分は、その長手方向に沿ってかつその高さ方向における中間に、他方のプロング部材の接続部を嵌め込むための接続部用凹部が形成され、表紙の平面状の内面に面接触されて密着するように形成され、一方の本体には、略コ字状の一方のプロング部材が取り付けられ、前記プロング部材は、円弧状の２つのプロングを含み、他方の本体には、略コ字状の他方のプロング部材が取り付けられ、前記プロング部材は、円弧状の２つのプロングを含み、前記２つのプロングは、直線状の１つの接続部の両端からのびて、接続部と一体的に形成され、前記接続部は、接続部用凹部の形状に対応した形状に形成され、前記綴じ具の一方の本体および他方の本体は、表紙の背表紙における折り曲げ部位の両側の第１の背表紙部分および第２の背表紙部分に固定されているので、表紙は、綴じ具の一方の本体及び他方の本体により強化されるために薄くして軽量化を図ることができ、組み立てやすく且つ堅牢なファイル・バインダ類が得られる。
【０００８】
請求項２の発明によれば、背表紙には、幅方向における中央部分において、表紙の上端から下端にわたって直線状に、折り曲げ可能な薄肉状の折曲部が形成され、表表紙は、背表紙の近傍部分において、表紙の上端から下端にわたって直線状に、折り曲げ可能な薄肉状の折曲部が形成され、背表紙との境界と折曲部との間の部分が、第１の固定部分として形成され、裏表紙は、背表紙の近傍部分において、表紙の上端から下端にわたって直線状に、折り曲げ可能な薄肉状の折曲部が形成され、背表紙との境界と折曲部との間の部分が、第２の固定部分として形成さているので、第１の固定部分に一方の本体の側部を沿わせて、第１の固定部分と第１の背表紙部分との形状を長く保持でき、且つ第２の固定部分に他方の本体の側面を沿わせて、第２の固定部分を第２の背表紙部分の形態を長く保持でき、表紙を開閉するときは、折曲部から側部側を開閉するために、開閉によって第１の固定部分と第１の背表紙部分との形状、第２の固定部分と第２の背表紙部分の形状に影響を与えることなく、長く表紙の一定の形状を保つことができる。【０００９】
請求項３の発明によれば、一方の本体の基部は、第１の背表紙部分の内側面に、固着具により固定され、他方の本体の基部は、第２の背表紙部分の内側面に、固着具により固定されているので、第１の背表紙部分が一方の本体により、また第２の背表紙部分が他方の本体によって、補強され、取り扱いを容易にするために表紙が比較的薄い材料で形成されて軽量化を図られても、堅牢なファイルを得ることができる。【００１０】
請求項４の発明によれば、一方の本体の側部は、表表紙の第１の固定部分に密着するように形成され、他方の本体の側部は、裏表紙の第２の固定部分に密着するように形成されているので、第１の固定部に一方の本体の側部を沿わせて、第１の固定部分と第１の背表紙部分との形態を長く保持でき、且つ第２の固定部分に他方の本体の側部を沿わせて第２の固定部分を第２の背表紙部分の形態を長く保持でき、表紙を開閉するときは、折曲部から側部側を開閉するために、開閉によって第１の固定部分と第１の背表紙部分との形状、第２の固定部分と第２の背表紙部分の形状に影響を与えることなく、長く表紙の一定の形状を保つことができる。【００１１】
この発明の上述の目的、その他の目的、特徴および利点は、図面を参照して行う以下の発明を実施するための最良の形態の説明から一層明らかとなろう。
この発明の請求の範囲を含む説明においては、ファイル（おおむね記載済みの文章〔伝票・カタログ・書類など〕を綴じ、又は、はさみ入れて整理・保管することのできる表紙をいう）やバインダ（おおむね未記録の綴じ穴のある用紙〔ルーズリーフ、帳票など〕を挿入し、記録できる、綴じ具つき表紙をいう）等のようなファイル・バインダ類を総称して、ファイルもしくはファイル・バインダ類という。
【図面の簡単な説明】
【００１２】
【図１】この発明が適用されるファイルの一例を示す斜視図である。
【図２】図１に示すファイルの平面図である。
【図３】図１に示すファイルの綴じ具を完全に閉じた状態を示す平面図解図である。
【図４】図１に示すファイルの綴じ具を完全に閉じた状態を示す正面図解図である。
【図５】図１に示すファイルの綴じ具を完全に閉じた状態と完全に開いた状態との中間の状態を示す平面図解図である。
【図６】図１に示すファイルの綴じ具を完全に閉じた状態と完全に開いた状態との中間の状態を示す正面図解図である。
【図７】図１に示すファイルの綴じ具を完全に開いた状態を示す平面図解図である。
【図８】図１に示すファイルの綴じ具を完全に開いた状態を示す正面図解図である。
【図９】図１に示すファイルに用いられる綴じ具の斜視図である。
【図１０】図９に示す綴じ具の分解斜視図である。
【図１１】図９に示す綴じ具に用いられる一方の本体の底面図である。
【図１２】図９に示す綴じ具に用いられる一方の本体の左側面図である。
【図１３】図９に示す綴じ具に用いられる他方の本体およびレバー部材を示す斜視図である。
【図１４】図９に示す綴じ具に用いられる他方の本体の底面図である。
【図１５】この発明が適用されるファイルの他の例を示す平面図である。
【符号の説明】
【００１３】
１０  ファイル
１２ａ  表表紙
１２ｂ  裏表紙
１２ｃ  背表紙
１２ｃ１  第１の背表紙部分
１２ｃ２  第２の背表紙部分
１４ａ，１４ｂ  固定部
１６ａ，１６ｂ，１６ｃ  折曲部
１８ａ  第１の固定部分
１８ｂ  第２の固定部分
２０  綴じ具
２２ａ  一方の本体
２２ｂ  他方の本体
２４ａ，２４ｂ  基部
２６ａ，２６ｂ  側部
２８ａ，２８ｂ  溶着部
２８Ｒ  固着具
３０ａ，３０ｂ  取付用孔
３２  ロック部材
３４ａ，３４ｂ  フック部分
３４ａ１，３４ｂ１  平面
３４ａ２，３４ｂ２  斜面
３８  ロック部材用孔
４０  摺動部用溝
４２  引掛部用孔
４４  ばね部孔
４４ａ  突出部
４６ａ，４６ｂ  プロング用孔
４８ａ，４８ｂ  接続部用凹部
５０ａ，５０ｂ  補強用リブ
５２ａ，５２ｂ  固定部用切欠部
６０ａ，６０ｂ  プロング部材
６２ａ，６２ｂ  プロング
６４ａ，６４ｂ  接続部
７０  レバー部材
７２  摺動部
７２ａ  端部
７２ｂ  凹部
７４  引掛部
７４ａ  平面
７４ｂ  斜面
７６  ばね部
７８  つまみ部
７８ａ  胴部
７８ｂ  引掛片
【発明を実施するための最良の形態】
【００１４】
図１はこの発明が適用されるファイルの一例を示す斜視図であり、図２はそのファイルの平面図であり、図３および図４はそのファイルの綴じ具を完全に閉じた状態を示す平面図解図および正面図解図であり、図５および図６はそのファイルの綴じ具を完全に閉じた状態と完全に開いた状態との中間の状態を示す平面図解図および正面図解図であり、図７および図８はそのファイルの綴じ具を完全に開いた状態を示す平面図解図および正面図解図であり、図９および図１０はそのファイルに用いられる綴じ具の斜視図および分解斜視図であり、図１１および図１２はその綴じ具に用いられる一方の本体の底面図および左側面図であり、図１３はその綴じ具に用いられる他方の本体およびレバー部材を示す斜視図であり、図１４はその綴じ具に用いられる他方の本体の底面図である。【００１５】
図１に示すファイル１０は、たとえばポリプロピレン（ＰＰ）などの合成樹脂からなる、両主面が平面状の薄い表紙１２を含む。表紙１２は、矩形状の表表紙１２ａおよび矩形状の裏表紙１２ｂを含む。表表紙１２ａおよび裏表紙１２ｂは、縦長の長方形状の背表紙１２ｃの幅方向における一端部側および他端部側からのびて形成される。表表紙１２ａは、背表紙１２ｃ側の部分（後述の第１の固定部分１８ａ）の主面が背表紙１２ｃにおいて表表紙１２ａ側の部分（後述の第１の背表紙部分１２ｃ１）の主面に対してたとえば１００度の角度を有するように、溶着固定された固定部１４ａを介して背表紙１２ｃに形成される。固定部１４ａは、表表紙１２ａおよび背表紙１２ｃ間において表紙１２の上端から下端にわたって直線状に形成される。同様に、裏表紙１２ｂも、背表紙１２ｃ側の部分（後述の第２の固定部分１８ｂ）の主面が背表紙１２ｃにおいて裏表紙１２ｂ側の部分（後述の第２の背表紙部分１２ｃ２）の主面に対してたとえば１００度の角度を有するように、溶着固定された固定部１４ｂを介して背表紙１２ｃに形成される。この固定部１４ｂは、裏表紙１２ｂおよび背表紙１２ｃ間において表紙１２の上端から下端にわたって直線状に形成される。なお、これらの固定部１４ａおよび１４ｂは、平行に形成される。【００１６】
また、表表紙１２ａには、背表紙１２ｃの近傍部分において、表紙１２の上端から下端にわたって直線状に、折り曲げ可能な薄肉状の折曲部１６ａが形成される。同様に、裏表紙１２ｂにも、背表紙１２ｃの近傍部分において、表紙１２の上端から下端にわたって直線状に、折り曲げ可能な薄肉状の折曲部１６ｂが形成される。さらに、背表紙１２ｃには、幅方向における中央部分において、表紙１２の上端から下端にわたって直線状に、折り曲げ可能な薄肉状の折曲部１６ｃが形成される。この折曲部１６ｃは、後述の綴じ具２０の一方の本体２２ａおよび他方の本体２２ｂなどを開閉する際に中心軸となる部分である。なお、これらの折曲部１６ａ、１６ｂおよび１６ｃは、固定部１４ａおよび１４ｂとともに互いに平行に形成される。【００１７】
表表紙１２ａにおいて、固定部１４ａと折曲部１６ａとの間の部分が、第１の固定部分１８ａとして形成される。同様に、裏表紙１２ｂにおいて、固定部１４ｂと折曲部１６ｂとの間の部分が、第２の固定部分１８ｂとして形成される。第１の固定部分１８ａおよび第２の固定部分１８ｂは、表紙１２の上端から下端にのびて同じ大きさの短冊状に形成される。
さらに、背表紙１２ｃにおいて、固定部１４ａと折曲部１６ｃとの間の部分が第１の背表紙部分１２ｃ１として形成され、固定部１４ｂと折曲部１６ｃとの間の部分が第２の背表紙部分１２ｃ２として形成される。第１の背表紙部分１２ｃ１および第２の背表紙部分１２ｃ２も、表紙１２の上端から下端にのびて同じ大きさの短冊状に形成される。
したがって、第１の固定部分１８ａおよび第１の背表紙部分１２ｃ１は、それらの主面間の角度が１００度になるように固定される。同様に、第２の固定部分１８ｂおよび第２の背表紙部分１２ｃ２も、それらの主面間の角度が１００度になるように固定される。【００１８】
この表紙１２を製造するためには、たとえば、まず、表表紙１２ａ、裏表紙１２ｂおよび背表紙１２ｃを平面状に広げた大きさ・形状の合成樹脂シートからなる表紙部材が形成される。そして、その表紙部材において、折曲部１６ａ、１６ｂおよび１６ｃの内側部分になるそれぞれの部分に、たとえば断面Ｖ字状の溝をそれぞれ形成することによって、薄肉状の折曲部１６ａ、１６ｂおよび１６ｃが形成される。さらに、その表面部材において固定部１４ａおよび１４ｂとなる部分の内側部分に加熱した刃を当ててその部分を溶融し、表面部材において加熱した刃で溶融した部分の両側の部分の主面が所定の角度（１００度）になるように表面部材を折り曲げた状態で溶着固定することによって、固定部１４ａおよび１４ｂが形成される。このようにして表紙１２が製造される。【００１９】
表紙１２の内側部分には、図１および図２に示すように、綴じ具２０が固着される。綴じ具２０は、背表紙１２ｃの内側であって表表紙１２ａ側すなわち左側に配置される一方の本体２２ａおよび背表紙１２ｃの内側であって裏表紙１２ｂ側すなわち右側に配置される他方の本体２２ｂを含む。一方の本体２２ａおよび他方の本体２２ｂは、図９に示すように、たとえばポリプロピレン（ＰＰ）などの合成樹脂で左右略対称形状に形成される。【００２０】
一方の本体２２ａは、図１０に示すように、縦長の長方形板状の基部２４ａを含み、基部２４ａは、底面および右側面間の角度がたとえば８０度になるように形成される。また、基部２４ａは、第１の背表紙部分１２ｃ１に対向させるために、幅が第１の背表紙部分１２ｃ１の幅と略同じ幅に形成され、長さが第１の背表紙部分１２ｃ１の長手方向における長さの略３分の１の長さに形成され、その外表面が表紙１２の第１の固定部分１８ａの内面に密着するように形成されている。この基部２４ａには、表紙１２の第１の固定部分１８ａに対向させる左端から立ち上がるように、板状の側部２６ａが一体的に形成される。側部２６ａは、表紙１２の第１の固定部分１８ａに対向させるために、幅が第１の固定部分１８ａの幅と略同じ幅に形成され、長さが第１の固定部分１８ａの長手方向における長さの略３分の１の長さに形成される。基部２４ａおよび側部２６ａは、表紙１２の固定部分１８ａと背表紙部分１２ｃ１とのなす角度に対応して、基部２４ａ及び側部２６ａの主面間の角度がたとえば１００度になるように形成される。基部２４ａにおいて第１の背表紙部分１２ｃ１に対向させる底面には、図１１に示すように、４角枠状の溶着部２８ａが形成される。この溶着部２８ａは、あらかじめ基部２４ａの底面から４角枠状に突出するように溶着部用リブを形成しておき、その溶着部用リブを背表紙１２ｃの内側部分において折曲部１６ｃの左側の第１の背表紙部分１２ｃ１の平面状の中央部に押し当てながらそれらを超音波で溶着することによって形成される。そのため、溶着部２８ａによって、一方の本体２２ａが表紙１２の背表紙１２ｃの内側部分において第１の背表紙部分１２ｃ１の中央部に固着される。【００２１】
同様に、他方の本体２２ｂも、図１３に示すように、縦長の長方形板状の基部２４ｂを含み、この基部２４ｂは、底面および左側面間の角度がたとえば８０度になるように形成される。基部２４ｂは、幅が第２の背表紙部分１２ｃ２の幅と略同じ幅に形成され、長さが第２の背表紙部分１２ｃ２の長手方向における長さの略３分の１の長さに形成される。この基部２４ｂには、表紙１２の第２の固定部分１８ｂに対向させる右端から立ち上がるように、板状の側部２６ｂが一体的に形成される。側部２６ｂは、幅が第２の固定部分１８ｂの幅と略同じ幅に形成され、長さが第２の固定部分１８ｂの長手方向における長さの略３分の１の長さに形成され、その外表面が表紙１２の第２の固定部分１８ｂの内面に密着するように形成されている。基部２４ｂおよび側部２６ｂも、表紙１２の固定部分１８ｂと背表紙部分１２ｃ２とのなす角度に対応して、基部２４ｂ及び側部２６ｂの主面間の角度がたとえば１００度になるように形成される。基部２４ｂにおいて第２の背表紙部分１２ｃ２に対向させる底面にも、図１４に示すように、４角枠状の溶着部２８ｂが形成される。この溶着部２８ｂは、あらかじめ基部２４ｂの底面から４角枠状に突出するように溶着部用リブを形成しておき、その溶着部用リブを背表紙１２ｃの内側部分において折曲部１６ｃの右側の第２の背表紙部分１２ｃ２の平面状の中央部に押し当てながらそれらを超音波で溶着することによって形成される。そのため、溶着部２８ｂによって、他方の本体２２ｂが表紙１２の背表紙１２ｃの内側部分において第２の背表紙部分１２ｃ２の中央部に固着される。【００２２】
このように綴じ具２０の一方の本体２２ａおよび他方の本体２２ｂは、表紙１２の背表紙１２ｃにおいて折曲部１６ｃの両側の第１の背表紙部分１２ｃ１および第２の背表紙部分１２ｃ２に固着される。したがって、綴じ具２０の一方の本体２２ａおよび他方の本体２２ｂは、図３〜図８に示すように、背表紙１２ｃの折曲部１６ｃを中心軸として、表紙１２の表表紙１２ａ、裏表紙１２ｂおよび背表紙１２ｃとともに回動ないしは開閉することができる。【００２３】
また、一方の本体２２ａおよび他方の本体２２ｂは、図３および図４に示すように、それらを完全に閉じた状態において、基部２４ａの右側面と基部２４ｂの左側面とが当接するとともに、側部２６ａおよび２６ｂが平行した状態になるように、表紙１２の背表紙１２ｃに固着されている。【００２４】
なお、基部２４ａには、図１０に示すように、その長手方向に間隔を隔てて、２つの取付用孔３０ａおよび３０ａが、基部２４ａの両主面を貫通するように形成される。同様に、基部２４ｂにも、図１３に示すように、その長手方向に間隔を隔てて、２つの取付用孔３０ｂおよび３０ｂが、基部２４ａの両主面を貫通するように形成される。そして、これらの取付用孔３０ａ、３０ａ、３０ｂおよび３０ｂと表紙１２の背表紙１２ｃとにリベットなどの固着具２８Ｒを通して、それらの固着具２８Ｒで一方の本体２２ａおよび他方の本体２２ｂが表紙１２の背表紙１２ｃに固着されてもよい。このようにリベットなどの固着具２８Ｒが用いられる場合には、上述の溶着部用リブや溶着部２８ａおよび２８ｂは形成されなくてもよく、基部２４ａ及び２４ｂの外側面は、平面状で、第１の背表紙部分１２ｃ１及び第２の背表紙部分１２ｃ２に密着するように形成するとよい。【００２５】
一方の本体２２ａの基部２４ａにおいて右側すなわち他方の本体２２ｂ側の上部には、図３および図１０に示すように、基部２４ａの右端より基部２４ａの幅の略半分程の長さだけ他方の本体２２ｂ側に突き出るようにして、たとえばポリプロピレン（ＰＰ）などの合成樹脂からなる一対のロック部材３２および３２が、基部２４ａの長手方向に間隔を隔てて本体２２ａと一体的に形成される。これらのロック部材３２および３２は、一方の本体２２ａと他方の本体２２ｂとを完全に閉じた状態などで保持する際に用いられるためのものであり、それぞれ、背表紙１２ｃの折曲部１６ｃを中心軸とする円弧状に形成される。また、これらのロック部材３２および３２は、それぞれ、たとえば２段のフック部分３４ａおよび３４ｂを有する。
一方のフック部分３４ａは、ロック部材３２の根元および先端の中間部において、一方の本体２２ａの長手方向における一端側（表紙１２の下端側）に向かって突出するように直角３角形状に形成され、左側に一方の本体２２ａの長手方向に平行する平面３４ａ１を有し、その平面３４ａ１より右側に右肩上がりに傾斜する傾斜面３４ａ２を有する。このフック部分３４ａは、一方の本体２２ａおよび他方の本体２２ｂを完全に閉じた状態で保持する際に用いられるものである。
また、他方のフック部分３４ｂは、ロック部材３２の先端において、一方のフック部分３４ａと同様に、一方の本体２２ａの長手方向における一端側（表紙１２の下端側）に向かって突出するように直角３角形状に形成され、左側に一方の本体２２ａの長手方向に平行する平面３４ｂ１を有し、その平面３４ｂ１より右側に右肩上がりに傾斜する傾斜面３４ｂ２を有する。このフック部分３４ｂは、一方の本体２２ａおよび他方の本体２２ｂを完全に閉じた状態と完全に開いた状態との中間の状態で保持する際に用いられるものである。
なお、これらのフック部分３４ａおよび３４ｂは、一方の本体２２ａおよび他方の本体２２ｂを完全に開いた状態では用いられない。【００２６】
他方の本体２２ｂの基部２４ｂには、図３および図１３に示すように、その長手方向に間隔を隔てて、２つのロック部材用孔３８および３８が形成される。これらのロック部材用孔３８および３８は、一方の本体２２ａおよび他方の本体２２ｂが開閉する際にロック部材３２および３２が邪魔にならないように出入りするための孔であり、ロック部材３２および３２に対応した位置に形成される。【００２７】
また、他方の本体２２ｂの基部２４ｂは、図１０および図１３に示すように、ロック部材用孔３８および３８より左側すなわち一方の本体２２ａ側の部分が厚肉状に形成され、その厚肉状の部分の下部には、長手方向における一端から他端近傍にわたって直線状に、断面矩形状の摺動部用溝４０が形成される。さらに、基部２４ｂには、摺動部用溝４０の上部において、摺動部用溝４０に通じるように、２つの引掛部用孔４２および４２と１つのばね部用孔４４とが間隔を隔てて形成される。この場合、２つの引掛部用孔４２および４２は、２つのロック部材３２および３２のフック部分３４ａ、３４ｂに対応した位置を含む位置に縦長に形成される。また、ばね部用孔４４は、２つの引掛部用孔４２および４２よりも基部２４ｂの長手方向における他端側（表紙１２の上端側）に形成される。また、基部２４ｂにおいて、近接する引掛部用孔４２とばね部用孔４４との間には、下方に突出した突出部４４ａが形成される。【００２８】
一方の本体２２ａの側部２６ａには、図１０に示すように、その長手方向に間隔を隔ててかつその高さ方向における中間に、後述の一方のプロング部材６０ａの２つのプロング６２ａおよび６２ａを挿入するための２つのプロング用孔４６ａおよび４６ａが、側部２６ａの左右面（両主面）を貫通するように形成される。この側部２６ａにおいて表紙１２の第１の固定部分１８ａに対向する左面部分には、図１２に示すように、その長手方向に沿ってかつその高さ方向における中間に、２つのプロング用孔４６ａおよび４６ａ間を直線状にわたって、後述の一方のプロング部材６０ａの接続部６４ａを嵌め込むための接続部用凹部４８ａが形成される。また、側部２６ａの左面上には、格子状の補強リブ５０ａが形成される。この補強用リブ５０ａの端面は、平面状に形成され、表紙１２の第１の固定部分１８ａの平面状の内面に面接触されて密着する。また、補強用リブ５０ａが表紙１２の固定部１４ａに当らないようにするために、補強用リブ５０ａの下部には、固定部用切欠部５２ａが形成される。【００２９】
同様に、他方の本体２２ｂの側部２６ｂにも、図１０および図１３に示すように、その長手方向に間隔を隔ててかつその高さ方向における中間に、後述の他方のプロング部材６０ｂの２つのプロング６２ｂおよび６２ｂを挿入するための２つのプロング用孔４６ｂおよび４６ｂが、側部２６ｂの左右面（両主面）を貫通するように形成される。この場合、２つのプロング用孔４６ｂおよび４６ｂは、側部２６ｂの長手方向など中心軸に平行する方向に見て、一方の本体２２ａの側部２６ａに形成される２つのプロング用孔４６ａおよび４６ａが隔てられる間隔より狭い間隔を隔てて、２つのプロング用孔４６ａおよび４６ａで挟まれる２つのプロング用孔４６ａおよび４６ａの内側に形成される。また、側部２６ｂにおいて表紙１２の第２の固定部分１８ｂに対向する右面部分には、図１０に示すように、その長手方向に沿ってかつその高さ方向における中間に、２つのプロング用孔４６ｂおよび４６ｂ間を直線状にわたって、後述の他方のプロング部材６０ｂの接続部６４ｂを嵌め込むための接続部用凹部４８ｂが形成される。さらに、側部２６ｂの右面上にも、格子状の補強リブ５０ｂが形成される。この補強用リブ５０ｂの端面は、平面状に形成され、表紙１２の第２の固定部分１８ｂの平面状の内面に面接触されて密着する。また、補強用リブ５０ｂが表紙１２の固定部１４ｂに当らないようにするために、補強用リブ５０ｂの下部にも、固定部用切欠部５２ｂが形成される。【００３０】
一方の本体２２ａには、たとえばステンレスなどの金属からなる略コ字状の一方のプロング部材６０ａが取り付けられる。プロング部材６０ａは、図１０に示すように、金属からなる円弧状の２つのプロング６２ａおよび６２ａを含む。２つのプロング６２ａおよび６２ａは、金属からなる直線状の１つの接続部６４ａの両端からのびて、接続部６４ａとともに略コ字状に一体的に形成される。この場合、２つのプロング６２ａおよび６２ａは、２つのプロング用孔４６ａおよび４６ａの間隔に対応した間隔を隔てて形成される。また、接続部６４ａは、接続部用凹部４８ａの形状に対応した形状に形成される。プロング部材６０ａは、たとえばプレス加工によって金属板を所定の形状に打抜くとともに所定の形状に成型することによって形成される。このプロング部材６０ａは、２つのプロング６２ａおよび６２ａを一方の本体２２ａの側部２６ａの左面側から２つのプロング用孔４６ａおよび４６ａに挿入し、接続部６４ａを接続部用凹部４８ａに嵌め込むことによって、一方の本体２２ａに簡単に取り付けられる。また、２つのプロング６２ａおよび６２ａは、それぞれ、表紙１２の第１の固定部分１８ａ側から第２の固定部分１８ｂ側に向かうようにのびて、背表紙１２ｃの折曲部１６ｃを中心軸として背表紙１２ｃ側とは反対側に膨らむ円弧状に形成される。【００３１】
同様に、他方の本体２２ｂにも、一方のプロング部材６０ａと同様構造の他方のプロング部材６０ｂが取り付けられる。このプロング部材６０ｂの円弧状の２つのプロング６２ｂおよび６２ｂは、２つのプロング用孔４６ｂおよび４６ｂの間隔に対応した間隔を隔てて形成され、接続部６４ｂは、接続部用凹部４８ｂの形状に対応した形状に形成される。このプロング部材６０ｂは、２つのプロング６２ｂおよび６２ｂを他方の本体２２ｂの側部２６ｂの右面側から２つのプロング用孔４６ｂおよび４６ｂに挿入し、接続部６４ｂを接続部用凹部４８ｂに嵌め込むことによって、他方の本体２２ｂに簡単に取り付けられる。これらのプロング６２ｂおよび６２ｂも、それぞれ、表紙１２の第２の固定部分１８ｂ側から第１の固定部分１８ａ側に向かうようにのびて、背表紙１２ｃの折曲部１６ｃを中心軸として背表紙１２ｃ側とは反対側に膨らむ円弧状に形成される。また、これらのプロング６２ｂおよび６２ｂは、綴じ具２０の一方の本体２２ａおよび他方の本体２２ｂを閉じることによって、プロング６２ａおよび６２ａの内側でプロング６２ａおよび６２ａの互いに対向する面に重なるように形成される。なお、プロング６２ａおよび６２ｂは、そのように重なると断面６角形状となるように、それぞれが断面台形状に形成されている。【００３２】
この綴じ具２０では、一方の本体２２ａおよび他方の本体２２ｂを閉じることによって、２組のプロング６２ａおよび６２ｂが重なるが、重なる２組のプロング６２ａおよび６２ｂをたとえば紙などの被綴じ物に形成された２つの綴じ穴にそれぞれ通すことによって紙などの被綴じ物が綴じられる。この場合、１組のプロング６２ａおよび６２ｂが１つの綴じ穴に通される。
また、各プロング６２ａおよび６２ｂは、背表紙１２ｃの折曲部１６ｃを中心軸として同じ半径の円弧状に形成されているので、一方の本体２２ａおよび他方の本体２２ｂを折曲部１６ｃを中心軸として開閉した場合に、折曲部１６ｃを中心軸とする同じ半径の円弧上を回動するので、プロング６２ａおよび６２ｂで被綴じ物を綴じ穴から破ってしまうおそれが少ない。
さらに、各プロング６２ａおよび６２ｂは、背表紙１２ｃ側とは反対側に膨らむ円弧状に形成されているので、一方の本体２２ａおよび他方の本体２２ｂを少し開いた場合に、プロング６２ａおよび６２ｂに綴じられている被綴じ物をプロング６２ａおよび６２ｂに沿ってめくりやすい。
また、各プロング６２ａおよび６２ｂは、本体２２ａおよび２２ｂの側部２６ａおよび２６ｂに形成されたプロング用孔４６ａおよび４６ｂなどによって、背表紙１２ｃから離れた状態で設けられているが、背表紙１２ｃとプロング６２ａおよび６２ｂとの間隔は、被綴じ物の綴じ穴から端部に対応して設けられ、背表紙１２ｃとプロング６２ａおよび６２ｂとの間隔には、被綴じ物の綴じ穴から端部を折れ曲がりにくいように収納することができる。【００３３】
また、他方の本体２２ｂには、たとえばポリアセタール（ＰＯＭ）などの合成樹脂からなるレバー部材７０が摺動可能に設けられる。レバー部材７０は、一方の本体２２ａおよび他方の本体２２ｂを開く際に用いられるものであって、図１０および図１３に示すように、棒状の摺動部７２を含む。摺動部７２は、断面形状が他方の本体２２ｂに形成された摺動部用溝４０の断面形状と同様な矩形状に形成される。この摺動部７２は、その長手方向における一端を除いた中央から他端が摺動部用溝４０に嵌め合わされ、摺動部用溝４０の長手方向に沿って摺動可能に設けられる。この場合、摺動部７２の長手方向における一端は表紙１２の下端側に配置され、摺動部７２の長手方向における他端は表紙１２の上端と下端との中間に配置される。【００３４】
摺動部７２の長手方向における中央の上部および他端側の上部には、板状の２つの引掛部７４および７４が、２つの引掛部用孔４２および４２と同様な間隔を隔てて形成される。これらの引掛部７４および７４は、２つの引掛部用孔４２および４２から上方に突き出るように配置される。
また、これらの引掛部７４および７４は、引掛部用孔４２および４２の中で摺動部用溝４０および摺動部７２の長手方向に移動することができるように、摺動部用溝４０および摺動部７２の長手方向に見て、引掛部用孔４２および４２の長さより短く形成される。この場合、これらの引掛部７４および７４は、引掛部７４および７４を引掛部用孔４２および４２の長手方向における一端側（表紙１２の下端側）に移動した際に、引掛部７４および７４から２つのロック部材３２および３２のフック部分３４ａ、３４ｂが外れるとともに、引掛部７４および７４を引掛部用孔４２および４２の長手方向における他端側（表紙１２の上端側）に移動した際に、引掛部７４および７４に２つのロック部材３２および３２のフック部分３４ａ、３４ｂを引っ掛けることができるように形成される。
さらに、これらの引掛部７４および７４は、先端部からフック部分３４ａ、３４ｂが不用意に外れにくいようにするために、フック部分３４ａ、３４ｂが引っ掛かっている際にフック部分３４ａ、３４ｂの平面３４ａ１、３４ｂ１に当る先端部の右側に、摺動部７２の長手方向に平行する平面７４ａおよび７４ａを有する。
また、これらの引掛部７４および７４は、先端部にフック部分３４ａ、３４ｂが引っ掛かりやすいようにするために、フック部分３４ａ、３４ｂを引っ掛ける際にフック部分３４ａ、３４ｂの右肩上がりに傾斜する斜面３４ａ２、３４ｂ２に接触する先端部の端面に、右肩上がりに傾斜する斜面７４ｂおよび７４ｂを有する。【００３５】
さらに、摺動部７２の長手方向における他端部分には、たとえば湾曲した板状のばね部７６が一体的に形成される。この場合、摺動部７２の長手方向における他端部分の上部において、直方体状の端部７２ａより中央側に凹部７２ｂが形成され、ばね部７６は、その端部７２ａから凹部７２ｂ内に、ばね性を有するように上方に膨らむ円弧状にのびて形成される。このばね部７６は、他方の本体２２ｂに形成されたばね部用孔４４内に挿入され、ばね部７６の先端は、本体２２ｂにおいてばね部用孔４４の長手方向における一端側の部分を規定する下方に突出した突出部４４ａに当接される。このばね部７６によって、２つのロック部材３２および３２のフック部分３４ａ、３４ｂが引掛部７４および７４に引っ掛かるように、摺動部７２が他方の本体２２ｂに形成された摺動部用溝４０の長手方向における他端側（表紙１２の上端側）に向かう一方向に付勢される。【００３６】
摺動部７２の長手方向における一端部分には、つまみ部７８が形成される。つまみ部７８は、背表紙１２ｃの内側であって表紙１２の下端側に配置され、摺動部７２より幅の太い胴部７８ａを有し、胴部７８ａの先端部には、右方、左方および上方の３方に突出する湾曲板状の引掛片７８ｂが形成される。このつまみ部７８は、２つのロック部材３２および３２のフック部分３４ａ、３４ｂが引掛部７４および７４から外れるように、摺動部７２をばね部７６の付勢力に抗して一方向とは反対側の方向に、すなわち摺動部用溝４０の長手方向における他端側から一端側（表紙１２の上端側から下端側）への方向に摺動する際に摘まれるものである。【００３７】
上述のレバー部材７０の摺動部７２、引掛部７４、７４、ばね部７６およびつまみ部７８は、合成樹脂で一体的に形成される。また、このレバー部材７０は、他方の本体２２ｂが背表紙１２ｃに固着される前に、他方の本体２２ｂに嵌め込まれて簡単に取り付けられる。【００３８】
このファイル１０は、綴じ具２０が一方の本体２２ａ、他方の本体２２ｂ、一方のプロング部材６０ａ、他方のプロング部材６０ｂおよびレバー部材７０で構成され、綴じ具２２を構成する部品点数が少ないので、綴じ具２２ないしはファイル１０を製造しやすく、安価に製造することができる。【００３９】
前記基部２４ａは、第１の背表紙部分１２ｃ１に対向させるために、幅が第１の背表紙部分１２ｃ１の幅と略同じ幅に形成され、長さが第１の背表紙部分１２ｃ１の長手方向における長さより短い長さに形成され、基部２４ａに、表表紙１２ａの背表紙１２ｃの近傍部分に対向させるように、板状の側部２６ａが一体的に形成され、前記綴じ具の他方の本体２２ｂは、縦長の方形板状の基部２４ｂを含み、前記基部２４ｂは、第２の背表紙部分１２ｃ２に対向させるために、幅が第２の背表紙部分１２ｃ２の幅と略同じ幅に形成され、長さが第２の背表紙部分１２ｃ２の長手方向における長さより短い長さに形成され、基部２４ｂに、裏表紙１２ｂの背表紙１２ｃの近傍部分に対向させるように、板状の側部２６ｂが一体的に形成され、前記綴じ具の一方の本体２２ａおよび他方の本体２２ｂは、表紙１２の背表紙１２ｃにおける折り曲げ部位の両側の第１の背表紙部分１２ｃ１および第２の背表紙部分１２ｃ２に固定されているので、表紙１２は、綴じ具の一方の本体２２ａ及び他方の本体２２ｂにより強化されるために薄くして軽量化を図ることができる。【００４０】
そして、背表紙１２ｃには、幅方向における中央部分において、表紙１２の上端から下端にわたって直線状に、折り曲げ可能な薄肉状の折曲部１６ｃが形成され、表表紙１２ａは、背表紙１２ｂの近傍部分において、表紙１２の上端から下端にわたって直線状に、折り曲げ可能な薄肉状の折曲部１６ａが形成され、背表紙１２ｃとの境界と折曲部１６ａとの間の部分が、第１の固定部分１８ａとして形成され、裏表紙１２ｂは、背表紙１２ｃの近傍部分において、表紙１２の上端から下端にわたって直線状に、折り曲げ可能な薄肉状の折曲部１６ｂが形成され、背表紙１２ｃとの境界と折曲部１６ｂとの間の部分が、第２の固定部分１８ｂとして形成さているので、第１の固定部分１８ａに一方の本体２２ａの側部を沿わせて、第１の固定部分１８ａと第１の背表紙部分１２ｃ１との形状を長く保持でき、且つ第２の固定部分１８ｂに他方の本体２２ｂの側面を沿わせて、第２の固定部分１８ｂを第２の背表紙部分１２ｃ２の形態を長く保持できる。
表紙１２を開閉するときは、折曲部１６ａから側部側を開閉するために、開閉によって第１の固定部分１８ａと第１の背表紙部分１２ｃ１との形状、第２の固定部分１８ｂと第２の背表紙部分１２ｃ２の形状に影響を与えることなく、長く表紙１２の一定の形状を保つことができる。【００４１】
そして、一方の本体２２ａの基部２４ａは、第１の背表紙部分１２ｃ１の内側面に、固着具２８Ｒにより固定され、他方の本体２２ｂの基部２４ｂは、第２の背表紙部分１２ｃ２の内側面に、固着具２８Ｒにより固定されているので、第１の背表紙部分１２ｃ１が一方の本体２２ａにより、また第２の背表紙部分１２ｃ２が他方の本体２２ｂによって、補強され、取り扱いを容易にするために表紙が比較的薄い材料で形成されて軽量化を図られても、堅牢なファイルを得ることができる。【００４２】
そして、一方の本体２２ａの側部２６ａの補強用リブ５０ａは、表表紙１２ａの第１の固定部分１８ａに密着するように形成され、他方の本体２２ｂの側部２６ｂの補強用リブ５０ｂは、裏表紙１２ｂの第２の固定部分１８ｂに密着するように形成されているので、第１の固定部１８ａに一方の本体２２ａの側部２６ａを沿わせて、第１の固定部分１８ａと第１の背表紙部分１２ｃ１との形態を長く保持でき、且つ第２の固定部分１８ｂに他方の本体２２ｂの側部２６ｂを沿わせて第２の固定部分１８ｂを第２の背表紙部分１２ｃ２の形態を長く保持できる。
表紙１２を開閉するときは、折曲部１６ａから側部側を開閉するために、開閉によって第１の固定部分１８ａと第１の背表紙部分１２ｃ１との形状、第２の固定部分１８ｂと第２の背表紙部分１２ｃ２の形状に影響を与えることなく、長く表紙の一定の形状を保つことができる。【００４３】
また、このファイル１０では、綴じ具２０の一方のプロング部材６０ａおよび他方のプロング６０ｂ部材は、それぞれ、円弧状の２つのプロング６２ａおよび６２ａまたは６２ｂおよび６２ｂが直線状の１つの接続部６４ａまたは６４ｂの両端からのびて略コ字状に形成されたものであり、一方のプロング部材６０ａにおける２つのプロング６２ａおよび６２ａを一方の本体２２ａに形成された２つのプロング用孔４６ａおよび４６ａに挿入することによって、一方のプロング部材６０ａが一方の本体２２ａに取り付けられ、他方のプロング部材６０ｂにおける２つのプロング６２ｂおよび６２ｂを他方の本体２２ｂに形成された２つのプロング用孔４６ｂおよび４６ｂに挿入することによって、他方のプロング部材６０ｂが他方の本体２２ｂに取り付けられるので、綴じ具２０を組み立てる際に一方の本体２２ａに対してプロング６２ａおよび６２ａを位置決めしやすいとともに、他方の本体２２ｂに対してプロング６２ｂおよび６２ｂを位置決めしやすい。また、プロング部材６０ａおよび６０ｂの接続部６４ａおよび６４ｂは、接続部用凹部４８ａおよび４８ｂに嵌め込まれるので、突出して邪魔になることがない。【００４４】
さらに、このファイル１０では、綴じ具２０のレバー部材７０は、摺動部７２、引掛部７４、７４、ばね部７６およびつまみ部７８が合成樹脂で一体的に形成されているので、レバー部材の摺動部やばね部などを別々に形成する場合に比べて、部品点数が少なくなるので、レバー部材７０や綴じ具２０ひいてはファイル１０を組み立てやすく、安価に製造することができる。【００４５】
また、このファイル１０では、綴じ具２０の一方の本体２２ａおよび他方の本体２２ｂが完全に閉じた状態において突き当たる一方の本体２２ａの右側面および他方の本体２２ｂの左側面と一方の本体２２ａの第１の背表紙部分１２ｃ１に対向する底面および他方の本体２２ｂの第２の背表紙部分１２ｃ２に対向する底面とのそれぞれの間の角度が鋭角であるたとえば８０度であるので、表紙１２の表表紙１２ａおよび裏表紙１２ｂを完全に閉じた際に、すなわち、一方の本体２２ａおよび他方の本体２２ｂを完全に閉じた際に、背表紙１２ｃの幅方向における中央部分が外側に突出したようになり、表紙１２の幅を背表紙１２ｃの実寸幅より狭くすることができ、省スペースに適する。
さらに、このファイル１０では、上述のそれぞれの間の角度が８０度であるとともに、表紙１２の固定部１４ａの両側の部分（第１の背表紙部分１２ｃ１および第１の固定部分１８ａ）の主面間の角度および表紙１２の固定部１４ｂの両側の部分（第２の背表紙部分１２ｃ２および第２の固定部分１８ｂ）の主面間の角度がそれぞれ８０度と補角になる１００度であるので、表紙１２の表表紙１２ａおよび裏表紙１２ｂを完全に閉じた際に、表表紙１２ａおよび裏表紙１２ｂが平行した状態になり、この点でも省スペースに適する。【００４６】
このファイル１０では、図３および図４に示すように、２つのロック部材３２および３２のフック部分３４ａおよび３４ａをレバー部材７０の引掛部７４および７４に引っ掛けることによって、綴じ具２０の一方の本体２２ａおよび他方の本体２２ｂを完全に閉じた状態で保持することができる。この場合、引掛部７４がばね部７６によってフック部分３４ａ側に付勢されているとともに、互いに接するフック部分３４ａの平面３４ａ１と引掛部７４の平面７４ａとが、ロック部材３２ののびる方向すなわちロック部材３２の開閉される方向と直交するように形成されているので、フック部分３４ａが引掛部７４から不用意に外れにくい。そのため、綴じ具２０の一方の本体２２ａおよび他方の本体２２ｂが不用意に開きにくい。【００４７】
また、このファイル１０では、図５および図６に示すように、２つのロック部材３２および３２のフック部分３４ｂおよび３４ｂをレバー部材７０の引掛部７４および７４に引っ掛けることによって、綴じ具２０の一方の本体２２ａおよび他方の本体２２ｂを完全に閉じた状態と完全に開いた状態との中間の状態で保持することができる。この中間の状態で保持すれば、プロング６２ａおよび６２ｂに綴じられている紙などの被綴じ物が緩められるので、綴じられている紙などの被綴じ物がめくりやすく、綴じられている紙などの被綴じ物の表裏面に表示されている情報などが閲覧しやすくなる。
また、このファイル１０では、上述の中間の状態において綴じ具２０の一方の本体２２ａおよび他方の本体２２ｂが１０度ずつ開くように、２つのロック部材３２および３２のフック部分３４ｂおよび３４ｂが所定の位置に形成されている。そのため、このファイル１０では、その中間の状態において、綴じ具２０の一方の本体２２ａの第１の背表紙部分１２ｃ１に対向する底面と他方の本体２２ｂの第２の背表紙部分１２ｃ２に対向する底面とが実質的に一平面に存在するように形成されていることになり、綴じ具２０ひいてはファイル１０を一平面上に安定的に置くことができる。
なお、この中間の状態においては、引掛部７４がばね部７６によってフック部分３４ｂ側に付勢されているとともに、互いに接するフック部分３４ｂの平面３４ｂ１と引掛部７４の平面７４ａとが、ロック部材３２ののびる方向すなわちロック部材３２の開閉される方向と直交するように形成されているので、フック部分３４ｂが引掛部７４から不用意に外れにくい。そのため、綴じ具２０の一方の本体２２ａおよび他方の本体２２ｂが不用意にそれ以上開きにくい。【００４８】
さらに、このファイル１０では、図７および図８に示すように、２つのロック部材３２および３２のフック部分３４ａ、３４ｂをレバー部材７０の引掛部７４および７４から外すことによって、綴じ具２０の一方の本体２２ａおよび他方の本体２２ｂを完全に開いた状態で保持することができる。【００４９】
上述のように、２つのロック部材３２および３２のフック部分３４ａ、３４ｂをレバー部材７０の引掛部７４および７４から外すためには、つまみ部７８を摘んで摺動部７２をばね部７６の付勢力に抗して一方向とは反対側（表紙１２の下端側）の方向に摺動するとともに、一方の本体２２ａおよび他方の本体２２ｂを開けばよい。【００５０】
逆に、２つのロック部材３２および３２のフック部分３４ａ、３４ｂをレバー部材７０の引掛部７４および７４に引っ掛けるためには、ばね部７６の付勢力に抗して、一方の本体２２ａおよび他方の本体２２ｂを閉じればよい。この場合、フック部分３４ａ、３４ｂおよび引掛部７４に斜面３４ａ２、３４ｂ２および７４ｂが形成されているので、つまみ部７８を摘んで摺動部７２をばね部７６の付勢力に抗して一方向とは反対側（表紙１２の下端側）の方向に引っ張って摺動しなくても、摺動部７２がその方向に摺動するので、一方の本体２２ａおよび他方の本体２２ｂを簡単に閉じることができる。【００５１】
図１５はこの発明が適用されるファイルの他の例を示す平面図である。図１５に示すファイル１０は、図１に示すファイル１０と比べて、一方の本体２２ａおよび他方の本体２２ｂが、表紙１２の上端近傍から下端近傍までの長さとほぼ同じ長さに形成される。また、一方の本体２２ａおよび他方の本体２２ｂには、図１に示すファイル１０と同様にして、２組のプロング部材６０ａおよび６０ｂが取り付けられる。ただし、２組のプロング部材６０ａおよび６０ｂの４組のプロング６２ａおよび６２ｂは、等間隔を隔てて配置される。さらに、一方の本体２２ａおよび他方の本体２２ｂには、各組のプロング部材６０ａおよび６０ｂの中央に、２組のロック部材３２、ロック部材用孔３８および引掛部用孔４２が、それぞれ形成される。なお、ばね部用孔４４は、他方の本体２２ｂにおいて表紙１２の上端側に形成される。また、レバー部材７０は、摺動部７２が他方の本体２２ｂの長さに対応した長さに形成され、２つの引掛部７４、７４およびばね部７６が２つの引掛部用孔４２、４２およびばね部用４４に対応してそれぞれ形成される。なお、一方の本体２２ａおよび他方の本体２２ｂには、３つずつの取付用孔３０ａおよび３０ｂが等間隔を隔てて形成される。【００５２】
図１５に示すファイル１０は、図１に示すファイル１０が２穴用のものと使用されるのに対して、４穴用のものとして使用される。
このように本発明は、２穴用のものだけでなく、４穴用のものなど他の多穴用のものにも適用され得る。【００５３】
なお、上述の各例では、表紙１２と、綴じ具２０の本体２２ａ、２２ｂと、プロング部材６０ａ、６０ｂと、レバー部材７０とが、特定の形状や特定の構造で形成されているが、それらは他の形状や他の構造で形成されてもよい。たとえば、表紙１２の表表紙１２ａや裏表紙１２ｂは横長に形成されてもよい。本体２２ａ、２２ｂは、それぞれブロック状に形成されてもよく、また、反転して、本体２２ａが第２の背表紙部分１２ｃ２に取り付けられるとともに、本体２２ｂが第１の背表紙部分１２ｃ１に取り付けられてもよい。プロング６２ａおよび６２ｂは、重なると断面略円形状となるように、それぞれが断面略半円形状に形成されてもよく、また、重ならないように間隔を隔てて配置され、個々のプロング６２ａまたは６２ｂがたとえば紙などの被綴じ物に形成された個々の綴じ穴に通されるように形成されてもよい。また、レバー部材７０は引っ張るのではなくて押すことによってフック部分が引掛部から外れるように構成されてもよい。さらに、レバー部材７０などのロック部材３２に引っ掛かるための構造が一方の本体２２ａ側に設けられ、ロック部材３２が他方の本体２２ｂ側に形成されてもよい。【００５４】
また、上述の各例において、表紙１２の固定部１４ａ（１４ｂ）の両側の部分の主面間の角度、本体２２ａ（２２ｂ）の側面および底面間の角度、本体２２ａ（２２ｂ）の基部２４ａ（２４ｂ）および側部２６ａ（２６ｂ）の両主面間の角度は、それぞれ、任意に変更されてもよい。【００５５】
また、上述の各例では、２つのロック部材３２および３２を有するが、この発明では、１つまたは３つ以上のロック部材を有するようにしてもよい。【００５６】
さらに、上述の各例では、１つのロック部材３２に２段のフック部分３４ａおよび３４ｂが形成され、２段のフック部分３４ａおよび３４ｂが綴じ具２０の完全に閉じた状態と中間の状態とで用いられるが、この発明では、２段のフック部分の代わりに１つのフック部分または３段以上のフック部分が１つのロック部材に形成されてもよい。
このように１つのフック部分が形成される場合には、そのフック部分は綴じ具が完全に閉じた状態で用いられるようにすればよい。また、このように３段以上のフック部分が形成される場合には、それらのフック部分は綴じ具が完全に閉じた状態、２段以上の中間の状態で用いられるようにすればよい。
【産業上の利用可能性】
【００５７】
この発明にかかる綴じ具は、たとえば２穴用や４穴用など多穴用のファイル・バインダ類の綴じ具に適用できる。
【図１】
0004657303.tif 000002
【図２】
0004657303.tif 000003
【図３】
0004657303.tif 000004
【図４】
0004657303.tif 000005
【図５】
0004657303.tif 000006
【図６】
0004657303.tif 000007
【図７】
0004657303.tif 000008
【図８】
0004657303.tif 000009
【図９】
0004657303.tif 000010
【図１０】
0004657303.tif 000011
【図１１】
0004657303.tif 000012
【図１２】
0004657303.tif 000013
【図１３】
0004657303.tif 000014
【図１４】
0004657303.tif 000015
【図１５】
0004657303.tif 000016